(57)【特許請求の範囲】
【請求項１】
屋根の下地材間に形成された開口に覆い被さる内壁部材と、この内壁部材より幅広で内壁部材に被さる外壁部材からなる屈曲流形成体と、その屈曲流形成体を通って前記開口から上昇してくる少なくとも屋根裏の空気流を、棟木に支持される冠瓦の裏面と共働して、屋外に排気可能に誘導する誘導板とからなり、前記内壁部材がその上方部位に空気流の第一換気口を有し、前記外壁部材がその下方部位に空気流の第二換気口を有し、そして前記誘導板がその上方部位に空気流の第三換気口を有するように構成された換気棟装置において、前記第二換気口の上端縁を、前記第二換気口の上端縁から前記第二換気口の両側縁に向かって低くなるような非水平形にし、前記両側縁が傾斜部まで連続するように設けたことを特徴とする換気棟装置。
【請求項２】
前記非水平形が、逆Ｖ字形又は逆Ｕ字形である請求項１記載の換気棟装置。
【請求項３】
前記冠瓦の一端部の裏面部に差込部を有し、前記差込部が前記冠瓦に隣接して葺かれる他の冠瓦の他端部に差し込まれる冠瓦を施工した状態において、前記誘導板は、その先端部に空気流の第四換気口と、前記冠瓦の差込部と実質上緩衝しないように冠瓦に当接する変形可能な当接部とを有している請求項１記載の換気棟装置。
【請求項４】
前記誘導板の途中に縦断面が略山形をなす乱流形成部を設けて、前記誘導板と冠瓦の裏面との間に形成される空間に外部から水滴を含む空気流が侵入したとき、その水滴を前記乱流形成部で空気流から分離すると同時に前記水滴を外方に排出可能とした請求項１記載の換気棟装置。
【発明の詳細な説明】
【技術分野】
【０００１】
本発明は、屋根の棟部に組み込んで、少なくとも屋根裏に滞留する空気を屋外に排気できるようにした換気棟装置に関するものである。
【背景技術】
【０００２】
従来から上記換気棟装置は、例えば、特開平９−２６８７２６公報等により公知である。この換気棟装置は、図２２及び図２３に示すように、一対の下地材１の頂部１ａ，１ｂ間に内壁部材９６を設置し、その内壁部材９６に重ね合わされる外壁部材９７に棟垂木３を固定するとともに、その棟垂木３の上部両側コーナーに通路形成部材９４を固定し、さらに棟垂木３の上に断面が略逆Ｖ字形の冠瓦５を葺設した構造をなしている。従って、この公知技術では前記換気棟構造は、前記内壁部材９６、外壁部材９７及び通路形成部材９４を以て構成されている。
【０００３】
そして、前記内壁部材９６の上方部位には多数個の直方形の第一換気口９８が透設されており、この第一換気口９８を通じて、両部材９６、９７間に形成される第二空間Ｓ２に対して、一対の下地材１の頂部１ａ、１ｂ間に存在する第一空間Ｓ１から空気流の導入が可能になっている。
【０００４】
また、前記外壁部材９７の下方部位には多数個の第二換気口９９が透設されており、その第二換気口９９を通じて前記第二空間Ｓ２に充満した空気が前記外壁部材９７の外方に形成されている第三空間Ｓ３に排気・導入されるようになっている。なお、第三空間Ｓ３は、前記通路形成部材９４、外壁部材９７、桟瓦２１の尻部及び前記通路形成部材９４と前記桟瓦２１との間に挿入される弾性密封部材１３等によって区画・形成されている。
【０００５】
さらに、前記通路形成部材９４の棟垂木３寄りの部位には第三換気口９４１が透設されており、この第三換気口９４１を通じて第三空間Ｓ３に流入した空気は、さらに通路形成部材９４と冠瓦５との間に形成される第四空間Ｓ４に導入される。
【０００６】
前記通路形成部材９４の先端縁には、それが凹凸状に切欠き形成されて生じた凸状片をさらに略直角に曲げ起こして形成した他端片９４３が設けられており、第四空間Ｓ４に導入された空気は、前記他端片９４３と冠瓦５とによって形成された第四換気口９４２から屋外に放出される。
【０００７】
上記のように構成される公知技術は、前記換気棟装置そのものを利用して外壁部材９７に棟垂木３を支持させているので、冠瓦５の下方に換気棟装置を組み込む場合の施工効率を向上させ得るという効果を発揮している。
【特許文献１】特開平９−２６８７２６号公報
【発明の開示】
【発明が解決しようとする課題】
【０００８】
しかしながら、前記公知技術記載の換気棟装置が暴風雨に曝されたとき、水滴及び湿気を含んだ空気流が、前記通路形成部材９４の第四換気口９４２から第四空間Ｓ４を経て、第三空間Ｓ３に吹き込まれる。すると、水滴及び湿気を含んだ空気流が、第三空間Ｓ３を構成する外壁部材９７にも衝突し、そこで水滴及び結露した湿気が表面張力の作用により、外壁部材９７の表面を薄膜となって流下する。
【０００９】
前記外壁部材９７の表面を流下した雨水の全てが、そのまま降下して、下地材１上に敷設されている防水シート１０１の上に到達すれば、何ら問題がないが、薄膜になって降下した雨水が、外壁部材９７における第二換気口９９の上端縁に到達すると、第二換気口９９が長方形をなしているため、前記上端縁で雨水が停滞し、やがてそれが水滴になって落下する。
【００１０】
一方、このとき、第三空間Ｓ３にまで吹き込まれた空気流は、前記第二換気口９９を通ってさらに第二空間Ｓ２に入り込もうとするから、第二換気口９９の上端縁で膨らんだ水滴は、この空気流により第二空間Ｓ２、さらには第一空間Ｓ１にまで搬送される。その結果、前記換気棟装置は水滴を屋根裏にまで侵入させるという事態に遭遇する。
【００１１】
このように、屋根が暴風雨に曝されたとき、その屋根の傾斜した一対の下地材間に形成された開口から上昇する空気流を、一旦屈曲させて冠瓦の裏側に沿わせて、屋外に流通させる換気棟装置において、暴風雨が伴う水滴そのものが換気棟装置の外壁部材にまで到達するのを抑制するとともに、仮にその水滴が幾分前記外壁部材にまで到達したとしても、前記開口にまで侵入するのを抑止する必要がある。
【００１２】
さらに、図２４に示すように、冠瓦５として、その一端部５ａより裏面２４ａ側に突出する差込部２４が、隣接する冠瓦の他端部（いずれも図示なし）の裏面側に差し込まれる構造の冠瓦を以って棟部を葺設する場合、前記差込部２４が、通路形成部材９４の他端片９４３の一部分と緩衝して、棟部における冠瓦５の収まり具合を悪くするという問題がある。
【００１３】
そこで、本発明者等は上記の問題を解消し得る換気棟装置を提供すべく、鋭意、検討した結果、屋根の一対の下地材間に形成された開口から上昇する空気流を、一旦屈曲させて冠瓦の裏側に沿わせて、屋外に流通させる換気棟装置において、同装置を構成する通路形成部材の形状及び構造を改良するとともに、前記外壁部材に設けられる換気口を特定の形状にし、さらに前記冠瓦の裏面と当接する通路形成部材の他端片を特定の形状にすればよいという事実を見出し、本発明を完成した。
【００１４】
従って、本発明の第一の課題は、屋根が暴風雨に曝されたとき、その屋根の一対の下地材間に形成された開口から上昇する空気流を、一旦屈曲させて冠瓦の裏側に沿わせて、屋外に流通させる換気棟装置の外壁部材に風雨に付随する水滴の到達を抑制するとともに、仮に、幾分、前記外壁部材にその水滴が到達しても、その雨滴が前記開口に侵入するのを阻止することにある。
【００１５】
本発明の第二の課題は、前記冠瓦の一端部より裏面側に突出する差込部が、隣接して葺かれる冠瓦の他端部の裏面側に差し込まれるような冠瓦が使用される屋根に対して、前記換気棟装置が使用される場合であっても、前記差込部が換気棟装置に対して実質上緩衝しない構造の換気棟装置を提供することにある。
【課題を解決するための手段】
【００１６】
本発明は、上記の課題を解決するための態様として、一対の下地材間に形成された開口に覆い被さる内壁部材と、この内壁部材より幅広で内壁部材に被さる外壁部材からなる屈曲流形成体と、その屈曲流形成体を通って前記開口から上昇してくる少なくとも屋根裏の空気流を、棟木に支持される冠瓦の裏面と共働して、屋外に排気可能に誘導する誘導板とからなり、前記内壁部材がその上方部位に空気流の第一換気口を有し、前記外壁部材がその下方部位に空気流の第二換気口を有し、そして前記誘導板がその上方部位に空気流の第三換気口を有するように構成された換気棟装置において、前記第二換気口の上端縁を、前記第二換気口の上端縁から前記第二換気口の両側縁に向かって低くなるような非水平形にし、前記両側縁が傾斜部まで連続するように設けた構造の換気棟装置を採用する。そして、好ましくは前記非水平形が、逆Ｖ字形又は逆Ｕ字形になるような装置を採用する。
【００１７】
前記の装置を採用することにより、屋根が暴風に曝され、水滴と湿気を含んだ空気流が換気棟装置内に侵入して屈曲流形成体の外壁部材に衝突した水滴と結露した湿気が、外壁部材の表面を薄膜となって流下して、それらが外壁部材の第二換気口の上端縁に到達すると、逆Ｖ字形又は逆Ｕ字形になっている第二換気口の上端縁を伝って第二換気口の外側縁に分流する。その結果、水滴が第二換気口を通る空気流に巻き込まれることはない。
【００１８】
上記態様の換気棟構造は、冠瓦としてその一端部がその冠瓦に隣接して葺かれる他の冠瓦の他端部に差し込まれる差込部を裏面側に有しているような冠瓦が葺設される屋根にも使用されるが、この態様においては、前記誘導板として、その先端部に、空気流の第四換気口と、冠瓦に当接する当接部とを有する構造の誘導板を使用して、その当接部を変形可能とする事で冠瓦の差込部とが実質上緩衝しないようにすることにより、本発明に係る課題を解決する。
【００１９】
さらに、本発明は、前記誘導板の途中に縦断面が略山形をなす乱流形成部を設けて、前記誘導板と冠瓦の裏面との間に形成される空間に外部から水滴を含む空気流が侵入したとき、その水滴を前記乱流形成部で空気流から分離すると同時に前記水滴を外方に排出可能とした構造の換気棟装置を採用する。
【００２０】
この構造を採用することにより、冠瓦の裏面と誘導板の表面との間に、暴風雨に起因する雨滴を含む湿った空気流が、略層流になって侵入してきたとき、その空気流は、縦断面が略山形をなす乱流形成部を越えるとき、渦巻き状の乱流を形成する。その結果、空気流の中に存在する水滴が渦巻き状乱流から分離する。分離された水滴は、前記誘導板の導気口を通して、外壁部材より離れた外方位置に落下してゆく。
【発明の効果】
【００２１】
本発明は、屋根が暴風雨に曝されたとき、その屋根の傾斜した一対の下地材間に形成された開口から上昇する空気流を、一旦屈曲させて冠瓦の裏側に沿わせて、屋外に流通させる換気棟装置の外壁部材に風雨に付随する水滴の到達を抑制するとともに、仮に幾分外壁部材にその水滴が到達してきても、その雨滴が前記開口にまで侵入するのを阻止するという優れた効果を発揮する。さらに、本発明は、冠瓦の一端部より裏面側に突出する差込部が、隣接して葺かれる冠瓦の他端部の裏面側に差し込まれるような冠瓦が使用される屋根に対して、本発明に係る換気棟装置を使用した場合、前記差込部が換気棟装置に対して実質上緩衝しないという効果を発揮する。
【発明を実施するための最良の形態】
【００２２】
次に実施例１として、図面を参照しながら、本発明を実施するための第一の実施態様について最初に詳述するが、本発明の主要な構成要素は前述した公知技術のそれらと基本的には同一である。これらの主要な構成要素について、順次、説明すると、図１、図２及び図３に示すように、冠瓦５としては、断面が逆Ｖ字形をなし、その一端部５ａに設けた差込部２４が、隣接する冠瓦５の他端部５ｂの裏面側に差し込まれる形状・構造の冠瓦５が使用される。この冠瓦５が葺かれた屋根の棟部において、冠瓦５の表面は実質的に全て面一になる。
【００２３】
また、前記冠瓦５は、屋根の棟部において桟瓦２１の尻部を被覆するとともに、支持金具２３上に固定された屋根の長手方向に延びる棟垂木３を跨ぐように、留釘２２により、棟垂木３に固定される。なお、前記支持金具２３は、棟部の一対の下地材１の頂部１ａ、１ｂ間に形成される第一空間Ｓ１を跨いで立設されている。
【００２４】
さらに、屋根において棟の長手方向に所定間隔をおいて立設される少なくとも一対の支持金具２３間には、屋根裏から上昇する空気流を、前記第一換気口Ｓ１を通じて、一旦、下地材１の頂部１ａ、１ｂ側に分流するとともに、分流された空気流をさらに横Ｓ字状に屈曲させた後、前記棟垂木３の両側に上昇させる屈曲流形成体２が、本発明に係る換気棟装置の一構成要素として、設置されている。
【００２５】
さらに付記すると、前記棟垂木３の上部コーナー部には、前記屈曲流形成体２から上昇してきた空気流を、前記冠瓦５の裏面５ｃと共働して、冠瓦５と桟瓦２１との間から外方に誘導する空気流の誘導板４が、本発明に係る換気棟装置のもう一つの構成要素として、固定されている。なお、前記誘導板４の先端部は、その裏面に固定されている弾性密封部材１３を介して、桟瓦２１の上に固定されている。このように、本発明における換気棟装置は、前記屈曲流形成体２と空気流の誘導板４とから構成される。
【００２６】
前記屈曲流形成体２は、図４に示すように、鍔付き帽子状縦断面形状をなす内壁部材６と、同様の縦断面形状を有するが、内壁部材６のそれより幅広に形成されている外壁部材７とから構成されている。
【００２７】
前記内壁部材６は、図５〜図７に示すように、１枚の長尺板状の上底部６１と、その上底部６１の横幅方向の両側縁から垂直かつ平行に垂下する一対の長尺板状内壁部６２ａ、６２ｂと、それらの内壁部６２ａ、６２ｂの下縁から下方かつ外方に向かって傾斜する長尺板状の傾斜部６３ａ、６３ｂとから構成されている。そして前記内壁部６２ａ、６２ｂの上方部位には、図８に示すように、野球のベース板形状をなす第一換気口８が形成されており、その下端縁８１ａ、８１ｂがＵ字形又はＶ字形をなしている。さらに一対の内壁部６２ａ、６２ｂのそれぞれに形成されている第一換気口８は、いずれの向きから見ても、等間隔を以ってずれるように配置されている。
【００２８】
他方、前記外壁部材７は、図９〜図１１に示すように、前記内壁部材６の上底部６１の横幅より大きい横幅を有する長尺板状の上底部７１と、上底部７１の幅方向の両側縁から垂直かつ平行に垂下する一対の長尺板状外壁部７２ａ、７２ｂと、それら外壁部７２ａ、７２ｂの下縁から下方かつ外方に向かって拡がる長尺板状の傾斜部７３ａ、７３ｂとから構成されている。
【００２９】
そして、前記外壁部７２ａ、７２ｂの下方部位には、図１２に示すように、野球の逆ベース板形状をなす第二換気口９が形成されており、その上端縁９１ａ、９２ｂが非水平形、好ましくは逆Ｕ字形又は逆Ｖ字形をなしている。さらに一対の外壁部７２ａ、７２ｂのそれぞれに形成されている第二換気口９は、長手方向のいずれの向きから見ても、等間隔を以ってずれるように配置されている。
【００３０】
本発明に係る屈曲流形成体２において、前記内壁部材６と外壁部材７に透設されている第一換気口８と第二換気口９は、図１３に示すように、それらの設置位置が等間隔Ｄを以ってずれるように、配置されている。このように第一換気口８と第二換気口９を等間隔に配置することにより、内壁部材６と外壁部材７との間に形成される第二空間Ｓ２（図２を参照）を通過する空気流にショートパスが起きないようになっている。なお、上記において内壁部材６及び外壁部材７が上底部６１、７１をそれぞれ個別に存在するものとして説明したが、前記二つの上底部６１、７１を一体化することもできるし、一方の上底部を他方の上底部と兼用させることもできる。同様に、傾斜部６３ａと他の傾斜部７３ａと、そしてもう一方の傾斜部６３ｂを他の傾斜部７３ｂとを一体化又は兼用することができる。
【００３１】
本発明に係る換気棟装置を構成するもう一つの要素、すなわち、空気流の誘導板４は、図１４及び図１５に示すように、長尺板状体からなり、その横幅方向の途中で、３箇所曲げ加工されている。そして前記誘導板４には、基端部として棟垂木３に係止・固定される係止部４０から鈍角に曲げ形成された第一折り曲げ部４１と、その第一折り曲げ部４１から鈍角に曲げ形成された第二折り曲げ部４２と、その第二折り曲げ部４２から曲げ形成された誘導部４３とが延展している。なお、前記誘導部４３には、直方形の第三換気口１０が複数個透設されている。
【００３２】
そしてさらに、誘導部４３の先端部には、１本脚のテーブル状の当接部１１０が多数個、誘導部４３と一体的に立植・形成されている。前記当接部１１０は、誘導部４３を形成するとき、その先端部を所定の形状に切欠いて、まず細長い基端部１１１と、その基端部１１１の先に広がる長方形の先端部１１２とを形成し、次いで基端部１１１を誘導部４３から曲げ起こしするとともに、先端部１１２も同じ向きに曲げ形成することにより、得られる。
【００３３】
次に、このような要素からなる換気棟装置を完成するには、図１及び図２、図１６に示すように、屋根を構成する一対の下地材１の頂部１ａ，１ｂに空いた第一換気口Ｓ１に屈曲流形成体２を被せ、その内壁部材６と外壁部材７の傾斜部６３ａ、６３ｂ、７３ａ、７３ｂを前記頂部１ａ，１ｂに固定するとともに支持金具２３を前記下地材１に取り付け、次いで同頂部１ａ，１ｂに桟瓦２１を葺く。
【００３４】
続いて、図１及び図２、図１７に示すように、前記支持金具２３の上に棟垂木３を固定した後、図１及び図２、図１８に示すように、棟垂木３に誘導板４の係止部４０を係止・固定する。そして最後に棟垂木３の上に冠瓦５を跨がせてそれを留釘２２で固定する。
【００３５】
この過程で、当接部１１０における先端部１１２の一部に冠瓦５の裏面５ｃが緩衝する場合、緩衝する当接部１１０の基端部１１１は、図１５に示すように、屈曲する（図１５において、屈曲した当接部１１０に符号１１２ａを付してそれらを示す）。その先端部１１２が前記裏面５ｃから受ける押圧差を緩和する機能を発揮する。よって、本発明に係る換気棟装置は、当接部１１０が受ける冠瓦５の押圧差を緩和しながら、冠瓦５を所定の位置に支承する。
【００３６】
なお、前記誘導板４における誘導部４３から曲げ起こされた複数個の基端部１１１間と冠瓦５の裏面５ｃとによって形成される第四換気口１２は、冠瓦５の裏面５ｃと誘導板４とにより形成される第四空間Ｓ４の空気流を外方に排出する機能をする。
【００３７】
このように屋根の頂部に葺設された本発明の第一実施態様に係る換気棟装置は、前述した公知技術と同様に屋根の下方の空気を屋根の外方に自然対流を伴いながら換気するが、この実施態様に係る換気棟装置においては、屈曲流形成体２を構成する外壁部材７の第二換気口９の上端縁が雨水を第二換気口９の両側縁側に分水し易い形状、すなわち、非水平形、好ましくは逆Ｖ字形又は逆Ｕ字形を備えているので、第二換気口９の上端縁から落下する水滴をなくすることができる。その結果、本発明に係る換気棟装置は、第二換気口９を通って第二空間Ｓ２に流入する空気流に水滴を随伴させることがないという効果を発揮する。また、本発明の第二実施態様に係る換気棟装置は、冠瓦の一端部より裏面側に突出する差込部が隣接して葺かれる冠瓦の他端部の裏面側に差し込まれるような冠瓦が使用される屋根に対しても利用できるという効果を発揮する。
【００３８】
次に実施例２として、本発明に係る換気棟装置の外壁部材に対して、風雨が伴う水滴そのもの到達を抑制する実施態様（第二の実施態様）について、説明する。この態様においては、本発明に係る換気棟装置の一構成要素である屈曲流形成体の形状及び構造は、前記第一の実施態様のそれと同一である。同換気棟装置のもう一つの構成要素である空気流の誘導板の形状・構造は、第一の実施態様のそれと明確に相異する。以下、図１９〜図２１に基づいて、その誘導板の形状・構造について詳述する。
【００３９】
この実施態様に係る誘導板４は、やや長尺な金属板をその幅方向に曲げ加工することにより得られたもので、その基端部に棟垂木３に係止・固定される係止部４０を有し、その先端部の表面側に前記第一の実施態様に係る当接部が所定間隔おいて複数個形成されており、同じく裏面側に弾性密封部材１３が接合されている。
【００４０】
さらに、誘導板４には、その基端部側から、前記係止部４０に続いてそれと直角方向に曲げ加工して形成された折り曲げ部４１が設けられており、棟垂木３の長手方向の側面に当接可能になっている。さらに、折り曲げ部４１に続いて、鈍角に外方に曲げ形成された第一傾斜透孔部４３１、それから上方に鋭角に曲げ形成された第二傾斜透孔部４３２、それから略鋭角に外方に曲げ形成された第二誘導部４３３、さらにそれから外方に鈍角に曲げ形成され、先端部に当接部１１０を有する第一誘導部４３４が、基端部側から先端部側に向かって、順次、形成されている。
【００４１】
従って、この誘導板４を第一の実施態様に係る誘導板と比較すると、この第一の実施態様に係る誘導板４には、第二の実施態様に係る誘導板の第二折り曲げ部４２が存在せず、第二の実施態様に係る誘導板における誘導部４３の途中は、第二傾斜透孔部４３２と第二誘導部４３３により縦断面略山形に形成されている。さらに加えると、第一傾斜透孔部４３１は、第一誘導部４３４と非平行になって傾斜している点で、両誘導板は相異している。
【００４２】
次に、前記第一傾斜透孔部４３１には、第二の実施態様に係る誘導板と同様の第三換気口１０が多数個透設されており、前記屈曲流形成体２から上昇してくる空気流を通過可能にしている。また、前記第二傾斜透孔部４３２にも第三換気口１０と略同様の形状を有する導気口１４が多数個透設されている。
【００４３】
このような形状・構造を有する空気流の誘導板４は、図２１に示すように、基端部が棟垂木３に係止・固定されるとともに、先端部が桟瓦２１の上に載置・固定される。そして、前記屈曲流形成体２から棟垂木３の長手方向両側に上昇してきた空気流を、その第三換気口１０から冠瓦５の裏面５ｃ側に導き、冠瓦５と共働して冠瓦５と桟瓦２１との間から外方に前記空気流を放出可能に誘導する。
【００４４】
他方、この換気棟装置が設置された屋根が暴風雨に曝されて、その風雨が冠瓦５と桟瓦２１との間から換気棟装置に侵入するような事態が起こると、冠瓦５の裏面５ｃと第一誘導部４３４の表面との間に、暴風雨に起因する雨滴を含む湿った空気流が、略層流になって侵入する。しかしながら、その空気流は、前記誘導板４の第二誘導部４３３にまず衝突する。すると、空気流の向きが変わり、空気流は冠瓦５の裏面５ｃに向かって進み、その裏面５ｃに衝突する。
【００４５】
ところが、空気流が冠瓦５の裏面５ｃに衝突して向きを変える位置の下方には、前記誘導板４の第二傾斜透孔部４３２が前記裏面５ｃと所定の大きさで膨らんだ空間を形成して存在するので、その空間で空気流が乱流となって渦流を形成する。その結果、渦流となった空気流の中に存在する水滴が第二傾斜透孔部４３２に向かって放出され、導気口１４から第三空間Ｓ３に移動する。
【００４６】
しかしながら、第三空間Ｓ３に移動する水滴は、外壁部材７から離れた位置の桟瓦２１に衝突するので、その分、外壁部材７に対する水滴の付着が抑制される。このように、第一の実施態様において、前記誘導板４の傾斜した第二誘導部４３３と第二傾斜透孔部４３２は、断面略山形を形成して、第一誘導部４３４に層流で誘導されてきた空気流に渦流を発生させる。そして渦流に含まれる水滴を空気流から分離するので、本発明では、断面略山形を形成する第二誘導部４３３と第二傾斜透孔部４３２を「乱流形成部」と称する。
【００４７】
本発明はその根本的技術思想を踏襲し発明の効果を著しく損なわない限度において、前記実施形態の一部分を変更して実施できる。例えば、当接部１１０の基端部１１１と先端部１１２の形状を他の形状に変更できるし、換気棟装置の材質を合成樹脂に変更できる。また、第二換気口を横台形にした形状にして、上端縁を一直線状若しくは屈曲線状の傾斜縁にし、又は上端縁を傾いた円弧縁にして、外壁部材の上方から第二換気口まで流下してきた雨滴を、その一方の側縁側から他方の側縁側に、流下させるようにすることもできる。
【産業上の利用可能性】
【００４８】
本発明は、少なくとも屋根裏の空気流を屋外に排気可能とする換気棟装置を冠瓦が葺設される屋根に設置する分野に広く利用できる。
【図面の簡単な説明】
【００４９】
【図１】本発明の第１の実施態様に係る換気棟装置の要部を示す部分斜視図である。
【図２】前記要部を示す部分正面図である。
【図３】前記要部を示す他の部分斜視図である。
【図４】本発明の第１の実施態様に係る屈曲流形成体の部分破断斜視図である。
【図５】前記屈曲流形成体の内壁部材の斜視図である。
【図６】同上面図である。
【図７】同側面図である。
【図８】前記内壁部材の要部を拡大して示す部分側面図である。
【図９】前記屈曲流形成体の外壁部材の斜視図である。
【図１０】同側面図である。
【図１１】同上面図である。
【図１２】同要部拡大側面図である。
【図１３】本発明に係る屈曲流形成体の要部拡大側面図である。
【図１４】本発明の第１の実施態様に係る誘導板の斜視図である。
【図１５】同誘導板の部分拡大斜視図である。
【図１６】本発明の第１の実施態様に係る換気棟装置の施工工程を示す部分斜視図である。
【図１７】同様に施工工程が進行した状態を示す斜視図である。
【図１８】同じくさらに施工工程が進行した状態を示す斜視図である。
【図１９】本発明の第２の実施態様に係る誘導板の部分破断斜視図である。
【図２０】前記誘導板を図１９と異なる角度から見た部分破断斜視図である。
【図２１】前記誘導板を備えた換気棟装置を設置した屋根の棟構造を示す要部断面図である。
【図２２】公知技術の一部を破断して示す部分斜視図である。
【図２３】同じく断面図である。
【図２４】本発明に係る冠瓦の斜視図である。
【符号の説明】
【００５０】
１：下地板、１ａ：頂部、１ｂ：頂部、２：屈曲流形成体、２１：桟瓦、２２：留釘、２３：支持金具、２４：差込部、２４ａ：差込裏面部、３：棟垂木、３１：瓦桟木、４：誘導板、４０：係止部、４１：第一折り曲げ部、４２：第二折り曲げ部、４３：誘導部、４３１：第一傾斜透孔部（乱流形成部）、４３２：第二傾斜透孔部（乱流形成部）、４３３：第二誘導部、４３４：第一誘導部、５：冠瓦、５ａ：一端部、５ｂ：他端部、５ｄ：裏面、６：内壁部材、６１：上底部、６２ａ：内壁部、６２ｂ：内壁部、６３ａ：傾斜部、６３ｂ；傾斜部、７：外壁部材、７１：上底部、７２ａ：外壁部、７２ｂ：外壁部、７３ａ：傾斜部、７３ｂ：傾斜部、８：第一換気口、８１ａ：下端縁、９：第二換気口、９１ａ：上端縁、１０：第三換気口、１１０：当接部、１１１：基端部、１１２：先端部、１２：第四換気口、１３：弾性密封部材、１４：導気口、９４：通路形成部材、９４１：第三換気口、９４２：第四換気口、９４３：他端、９６：内壁部材、９７：外壁部材、９８：第一換気口、９９：第二換気口、Ｓ１：第一空間、Ｓ２：第二空間、Ｓ３：第三空間、Ｓ４：第四空間。
【図１】
0004579303.tif 000002
【図２】
0004579303.tif 000003
【図３】
0004579303.tif 000004
【図４】
0004579303.tif 000005
【図５】
0004579303.tif 000006
【図６】
0004579303.tif 000007
【図７】
0004579303.tif 000008
【図８】
0004579303.tif 000009
【図９】
0004579303.tif 000010
【図１０】
0004579303.tif 000011
【図１１】
0004579303.tif 000012
【図１２】
0004579303.tif 000013
【図１３】
0004579303.tif 000014
【図１４】
0004579303.tif 000015
【図１５】
0004579303.tif 000016
【図１６】
0004579303.tif 000017
【図１７】
0004579303.tif 000018
【図１８】
0004579303.tif 000019
【図１９】
0004579303.tif 000020
【図２０】
0004579303.tif 000021
【図２１】
0004579303.tif 000022
【図２２】
0004579303.tif 000023
【図２３】
0004579303.tif 000024
【図２４】
0004579303.tif 000025